(57)【要約】【課題】被監視者の外出判定の精度の向上を図ること。【解決手段】外出判定装置１０１は、中継装置１０３を介して、生体情報測定装置１０２から定期的に送信される被監視者Ｍの生体情報ｖｄを受信する。外出判定装置１０１は、被監視者Ｍの属性または／および被監視者Ｍの欠測前の生体情報ｖｄに基づいて、被監視者Ｍの外出判定に用いる生体情報ｖｄの欠測監視時間Ｔまたは欠測監視回数Ｃを設定する。外出判定装置１０１は、被監視者Ｍの生体情報ｖｄの欠測時間ｔまたは欠測回数ｃが、設定した欠測監視時間Ｔまたは欠測監視回数Ｃを超えるか否かに応じて被監視者Ｍの外出判定を行う。【選択図】図１
2014225165.tif 000002
【特許請求の範囲】
【請求項１】
被監視者の生体情報を測定して定期的に送信する生体情報測定装置と、
前記被監視者の住居に設置され、前記生体情報測定装置から送信される前記被監視者の生体情報を中継する中継装置と、
前記被監視者の属性または／および前記被監視者の欠測前の生体情報に基づいて、前記被監視者の外出判定に用いる生体情報の欠測監視時間または欠測監視回数を設定する設定部と、前記被監視者の生体情報の欠測時間または欠測回数が、前記設定部によって設定された前記欠測監視時間または前記欠測監視回数を超えるか否かに応じて前記被監視者の外出判定を行う判定部と、を有する外出判定装置と、
を含むことを特徴とする監視システム。
【請求項２】
前記設定部は、
前記欠測前の生体情報に基づく前記被監視者の健康状態が正常である場合、前記被監視者の健康状態が異常である場合に比べて、前記欠測監視時間を長く、または、前記欠測監視回数を多く設定することを特徴とする請求項１に記載の監視システム。
【請求項３】
前記設定部は、
前記被監視者が同居の場合、前記被監視者が独居の場合に比べて、前記欠測監視時間を長く、または、前記欠測監視回数を多く設定することを特徴とする請求項１または２に記載の監視システム。
【請求項４】
前記設定部は、
前記被監視者の年齢が若いほど、前記欠測監視時間を長く、または、前記欠測監視回数を多く設定することを特徴とする請求項１〜３のいずれか一つに記載の監視システム。
【請求項５】
前記外出判定装置は、
前記住居に設置された電子機器の使用電力情報を測定する電力測定装置により測定された前記電子機器の使用電力情報に基づいて、前記被監視者の生体情報を欠測した第１時点の前記電子機器の稼働状況が、前記第１時点以前の第２時点の前記電子機器の稼働状況から変化したか否かを判断する判断部を有し、
前記判定部は、
前記欠測時間または前記欠測回数が前記欠測監視時間または前記欠測監視回数を超え、かつ、前記判断部によって前記電子機器の稼働状況が変化していないと判断された場合に、前記被監視者が外出していると判定することを特徴とする請求項１〜４のいずれか一つに記載の監視システム。
【請求項６】
前記外出判定装置は、
前記被監視者の生体情報の欠測時間または欠測回数が前記欠測監視時間または前記欠測監視回数を超えるか否かに応じて異なるアラーム情報を出力する出力部を有することを特徴とする請求項１〜５のいずれか一つに記載の監視システム。
【請求項７】
前記出力部は、
前記被監視者の生体情報の欠測後に、前記中継装置を介して前記被監視者の生体情報が取得された場合、前記被監視者が在宅していることを報知する報知情報を出力することを特徴とする請求項６に記載の監視システム。
【請求項８】
前記生体情報は、前記被監視者の体温、心拍、血圧のうちの少なくともいずれかの情報であることを特徴とする請求項１〜７のいずれか一つに記載の監視システム。
【請求項９】
コンピュータが、
被監視者の属性または／および前記被監視者の欠測前の生体情報に基づいて、前記被監視者の外出判定に用いる生体情報の欠測監視時間または欠測監視回数を設定し、
定期的に送信される前記被監視者の生体情報の欠測時間または欠測回数が、設定した前記欠測監視時間または前記欠測監視回数を超えるか否かに応じて前記被監視者の外出判定を行う、
処理を実行することを特徴とする外出判定方法。
【請求項１０】
コンピュータに、
被監視者の属性または／および前記被監視者の欠測前の生体情報に基づいて、前記被監視者の外出判定に用いる生体情報の欠測監視時間または欠測監視回数を設定し、
定期的に送信される前記被監視者の生体情報の欠測時間または欠測回数が、設定した前記欠測監視時間または前記欠測監視回数を超えるか否かに応じて前記被監視者の外出判定を行う、
処理を実行させることを特徴とする外出判定プログラム。
【発明の詳細な説明】
【技術分野】
【０００１】
本発明は、監視システム、外出判定方法および外出判定プログラムに関する。
【背景技術】
【０００２】
近年、少子高齢化に伴って、高齢者の介護に要する家族、ホームヘルパー、訪問看護師等の負担が大きくなっている。このため、高齢者が普段の生活を行いながら、家族や行政が、高齢者の状況を把握して、高齢者の異変等を早期に把握できる仕組みが求められている。
【０００３】
関連する先行技術としては、例えば、対象者宅の電気機器の動作状態に対して、電気機器が動作中かどうかの動作状態から対象者の年齢等の属性に応じて在宅状態を推定するための関数関係を用いて、対象者の現在の在宅状態を推定する技術がある。また、例えば、本部センターからの災害情報が、デジタル防災行政無線によって地区センター、町会センター、要援護者に一斉に伝達され、要援護者と町会センターとの間で無線ＬＡＮを利用して安否情報の送受信を行う技術がある。
【先行技術文献】
【特許文献】
【０００４】
【特許文献１】特開２０１０−１８２０７２号公報
【特許文献２】特開２００６−２６８１９２号公報
【発明の概要】
【発明が解決しようとする課題】
【０００５】
しかしながら、従来技術によれば、高齢者等の被監視者が外出しているか否かを精度よく判定することが難しい。例えば、被監視者が外出していると誤判定すると、家族等の監視者に対して安否確認などを促すアラームが増えて、監視者の負荷が増大する。また、例えば、被監視者が在宅していると誤判定すると、被監視者の異変に長時間気付かない場合がある。
【０００６】
一つの側面では、本発明は、被監視者の外出判定の精度の向上を図ることができる監視システム、外出判定方法および外出判定プログラムを提供することを目的とする。
【課題を解決するための手段】
【０００７】
本発明の一側面によれば、被監視者の生体情報を測定して定期的に送信する生体情報測定装置と、前記被監視者の住居に設置され、前記生体情報測定装置から送信される前記被監視者の生体情報を中継する中継装置と、前記被監視者の属性または／および前記被監視者の欠測前の生体情報に基づいて、前記被監視者の外出判定に用いる生体情報の欠測監視時間または欠測監視回数を設定する設定部と、前記被監視者の生体情報の欠測時間または欠測回数が、前記設定部によって設定された前記欠測監視時間または前記欠測監視回数を超えるか否かに応じて前記被監視者の外出判定を行う判定部と、を有する外出判定装置と、を含む監視システムが提案される。
【０００８】
また、本発明の一側面によれば、被監視者の属性または／および前記被監視者の欠測前の生体情報に基づいて、前記被監視者の外出判定に用いる生体情報の欠測監視時間または欠測監視回数を設定し、定期的に送信される前記被監視者の生体情報の欠測時間または欠測回数が、設定した前記欠測監視時間または前記欠測監視回数を超えるか否かに応じて前記被監視者の外出判定を行う外出判定方法および外出判定プログラムが提案される。
【発明の効果】
【０００９】
本発明の一態様によれば、被監視者の外出判定の精度の向上を図ることができるという効果を奏する。
【図面の簡単な説明】
【００１０】
【図１】図１は、実施の形態１にかかる外出判定方法の一実施例を示す説明図である。
【図２】図２は、監視システム２００のシステム構成例を示す説明図である。
【図３】図３は、外出判定装置１０１のハードウェア構成例を示すブロック図である。
【図４】図４は、生体情報測定装置１０２のハードウェア構成例を示すブロック図である。
【図５】図５は、被監視者情報ＤＢ２２０の記憶内容の一例を示す説明図である。
【図６】図６は、生体情報ＤＢ２３０の記憶内容の一例を示す説明図である。
【図７】図７は、健康状態判定テーブル２４０の記憶内容の一例を示す説明図である。
【図８】図８は、欠測監視時間テーブル２５０の記憶内容の一例を示す説明図である。
【図９】図９は、アラーム通知レベル情報テーブル２６０の記憶内容の一例を示す説明図（その１）である。
【図１０】図１０は、実施の形態１にかかる外出判定装置１０１の機能的構成例を示すブロック図である。
【図１１】図１１は、緊急度低のアラーム情報ＡＬの具体例を示す説明図である。
【図１２】図１２は、緊急度高のアラーム情報ＡＬの具体例を示す説明図である。
【図１３】図１３は、実施の形態１にかかる外出判定装置１０１の外出判定処理手順の一例を示すフローチャートである。
【図１４】図１４は、アラーム通知処理の具体的処理手順の一例を示すフローチャート（その１）である。
【図１５】図１５は、監視システム１５００のシステム構成例を示す説明図である。
【図１６】図１６は、電力測定装置１５０１のハードウェア構成例を示すブロック図である。
【図１７】図１７は、使用電力情報ＤＢ１５１０の記憶内容の一例を示す説明図である。
【図１８】図１８は、アラーム通知レベル情報テーブル２６０の記憶内容の一例を示す説明図（その２）である。
【図１９】図１９は、実施の形態２にかかる外出判定装置１０１の機能的構成例を示すブロック図である。
【図２０】図２０は、アラーム通知処理の具体的処理手順の一例を示すフローチャート（その２）である。
【発明を実施するための形態】
【００１１】
以下に図面を参照して、本発明にかかる監視システム、外出判定方法および外出判定プログラムの実施の形態を詳細に説明する。
【００１２】
（実施の形態１）
図１は、実施の形態１にかかる外出判定方法の一実施例を示す説明図である。図１において、外出判定装置１０１は、被監視者Ｍの外出判定を行うコンピュータである。ここで、被監視者Ｍは、監視対象となる者であり、例えば、要介護状態にある高齢者や特定疾患が原因で要介護状態にある者である。
【００１３】
生体情報測定装置１０２は、被監視者Ｍの生体情報ｖｄを測定するコンピュータである。生体情報測定装置１０２は、例えば、被監視者Ｍの手首、足首、胸などに装着される。生体情報ｖｄは、被監視者Ｍの健康状態を判断するために用いられる情報である。生体情報ｖｄは、例えば、被監視者Ｍの体温、心拍、血圧などである。
【００１４】
また、生体情報測定装置１０２は、測定した被監視者Ｍの生体情報ｖｄを定期的に送信する機能を有する。具体的には、例えば、生体情報測定装置１０２は、通信範囲が数十メートル程度の無線通信により、被監視者Ｍの生体情報ｖｄを定期的に送信する。生体情報ｖｄの測定タイミングおよび送信タイミングは、それぞれ任意に設定可能であり、例えば、１０分間隔、１時間間隔などに設定される。
【００１５】
中継装置１０３は、被監視者Ｍの住居に設置され、生体情報測定装置１０２から送信される被監視者Ｍの生体情報ｖｄを中継するコンピュータである。住居とは、被監視者Ｍが住む場所や家である。具体的には、例えば、中継装置１０３は、家の軒先などに設置される。
【００１６】
ここで、被監視者Ｍが外出しているか否かの情報は、被監視者Ｍの状況を把握する上で有用な情報となる。例えば、家族などに何の連絡もなく被監視者Ｍが長時間外出している場合は、被監視者Ｍに何らかの異変が起きている可能性があると判断することができる。しかし、被監視者Ｍの外出判定の精度が悪いと、例えば、被監視者Ｍを監視する家族等の監視者Ｗに対して安否確認などを促すアラームが増えて、監視者Ｗの負荷が増大してしまう。
【００１７】
なお、被監視者Ｍの外出判定を行う手法として、例えば、被監視者Ｍの住居に設置されたＴＶ（テレビジョン）やエアコンなどの電子機器の稼働状態に応じて、被監視者Ｍが外出しているか否かを判定することが考えられる。しかし、例えば、ＴＶを付けっぱなしで被監視者Ｍが外出した場合には、被監視者Ｍが在宅していると誤判定してしまう。
【００１８】
また、生体情報測定装置１０２から定期的に送信される被監視者Ｍの生体情報ｖｄを欠測した場合に、被監視者Ｍが外出していると判定することが考えられる。しかし、被監視者Ｍが在宅していても、生体情報測定装置１０２の電波が中継装置１０３に届かない所に被監視者Ｍが居たり、生体情報測定装置１０２の充電が切れている場合は、生体情報ｖｄの欠測となり、被監視者Ｍが外出していると誤判定してしまう。
【００１９】
また、被監視者ＭにＧＰＳ（Ｇｌｏｂａｌ  Ｐｏｓｉｔｉｏｎｉｎｇ  Ｓｙｓｔｅｍ）受信機を含む通信機を携帯させて被監視者Ｍの位置を把握することも考えられるが、ＧＰＳ衛星からの電波の強度が強く、ペースメーカなどに悪影響を及ぼす可能性がある。
【００２０】
そこで、実施の形態１では、外出判定装置１０１は、被監視者Ｍの属性や健康状態を考慮して、生体情報測定装置１０２から定期的に送信される被監視者Ｍの生体情報ｖｄの欠測時間ｔをもとに被監視者Ｍの外出判定を行う。これにより、被監視者Ｍの外出判定の精度を向上させて、監視者Ｗに対する過剰なアラームを抑制し、監視者Ｗの負荷を軽減させる。以下、外出判定装置１０１の外出判定処理例について説明する。
【００２１】
（１）外出判定装置１０１は、生体情報測定装置１０２から定期的に送信される被監視者Ｍの生体情報ｖｄを取得する。具体的には、例えば、外出判定装置１０１は、中継装置１０３を介して、生体情報測定装置１０２から定期的に送信される被監視者Ｍの生体情報ｖｄを受信する。
【００２２】
（２）外出判定装置１０１は、被監視者Ｍの属性または／および被監視者Ｍの欠測前の生体情報ｖｄに基づいて、被監視者Ｍの外出判定に用いる生体情報ｖｄの欠測監視時間Ｔまたは欠測監視回数Ｃを設定する。ここで、被監視者Ｍの属性とは、被監視者Ｍを特徴付ける情報であり、例えば、被監視者の年齢、家族構成などである。
【００２３】
生体情報ｖｄの欠測とは、生体情報測定装置１０２から定期的に送信される被監視者Ｍの生体情報ｖｄを取得することができないことである。例えば、被監視者Ｍが外出して、被監視者Ｍの住居に設置された中継装置１０３が生体情報測定装置１０２の通信範囲外となった場合に、生体情報ｖｄが欠測となる。また、例えば、被監視者Ｍが風呂場、トイレなどの場所にいると、被監視者Ｍが在宅していても、生体情報測定装置１０２の電波が中継装置１０３に届かずに、生体情報ｖｄが欠測となる場合がある。
【００２４】
また、生体情報測定装置１０２が電力不足により生体情報ｖｄを送信できなかった場合に、生体情報ｖｄが欠測となる。また、生体情報測定装置１０２が故障して生体情報ｖｄを送信できなかった場合に、生体情報ｖｄが欠測となる。また、被監視者Ｍが生体情報測定装置１０２を装着していないために生体情報ｖｄが測定されなかった場合に、生体情報ｖｄが欠測となる。
【００２５】
欠測前の生体情報ｖｄとは、生体情報ｖｄを欠測した時点以前に取得されたいずれかの生体情報ｖｄであり、例えば、生体情報ｖｄを欠測した時点直前に取得された生体情報ｖｄである。欠測監視時間Ｔとは、被監視者Ｍの外出判定を行う際に、被監視者Ｍの生体情報ｖｄの欠測時間ｔと比較する指標値である。
【００２６】
欠測時間ｔとは、定期的に送信される生体情報ｖｄを連続して欠測している時間である。また、欠測監視回数Ｃとは、被監視者Ｍの外出判定を行う際に、被監視者Ｍの生体情報ｖｄの欠測回数ｃと比較する指標値である。欠測回数ｃとは、定期的に送信される生体情報ｖｄを連続して欠測している回数である。
【００２７】
なお、被監視者Ｍの属性または／および被監視者Ｍの欠測前の生体情報ｖｄとは、被監視者Ｍの属性または被監視者Ｍの欠測前の生体情報ｖｄの少なくともいずれかの情報である。すなわち、外出判定装置１０１は、例えば、被監視者Ｍの属性に基づいて、欠測監視時間Ｔまたは欠測監視回数Ｃを設定することにしてもよい。
【００２８】
また、外出判定装置１０１は、例えば、被監視者Ｍの欠測前の生体情報ｖｄに基づいて、欠測監視時間Ｔまたは欠測監視回数Ｃを設定することにしてもよい。また、外出判定装置１０１は、例えば、被監視者Ｍの属性および被監視者Ｍの欠測前の生体情報ｖｄに基づいて、欠測監視時間Ｔまたは欠測監視回数Ｃを設定することにしてもよい。
【００２９】
具体的には、例えば、外出判定装置１０１は、欠測前の生体情報ｖｄに基づく被監視者Ｍの健康状態が正常である場合、被監視者の健康状態が異常である場合に比べて、欠測監視時間Ｔを長く、または、欠測監視回数Ｃを多く設定することにしてもよい。また、外出判定装置１０１は、例えば、被監視者Ｍが同居の場合、被監視者Ｍが独居の場合に比べて、欠測監視時間Ｔを長く、または、欠測監視回数Ｃを多く設定することにしてもよい。
【００３０】
また、外出判定装置１０１は、例えば、被監視者Ｍの年齢が若いほど、欠測監視時間Ｔを長く、または、欠測監視回数Ｃを多く設定することにしてもよい。すなわち、外出判定装置１０１は、被監視者Ｍの年齢、家族構成、健康状態等に応じて、被監視者Ｍの外出判定に用いる欠測監視時間Ｔまたは欠測監視回数Ｃを変更する。
【００３１】
図１の例では、１時間間隔で定期的に送信される被監視者Ｍの生体情報ｖｄが時刻ｘ６において欠測している。この場合、外出判定装置１０１は、例えば、時刻ｘ６直前に取得された時点ｘ５の生体情報ｖｄに基づいて、被監視者Ｍの健康状態を判断する。そして、外出判定装置１０１は、被監視者Ｍの属性または／および被監視者Ｍの健康状態に基づいて、欠測監視時間Ｔまたは欠測監視回数Ｃを設定する。図１の例では、欠測監視時間Ｔが４時間に設定されている。
【００３２】
（３）外出判定装置１０１は、被監視者Ｍの生体情報ｖｄの欠測時間ｔまたは欠測回数ｃが、設定した欠測監視時間Ｔまたは欠測監視回数Ｃを超えるか否かに応じて被監視者Ｍの外出判定を行う。具体的には、例えば、外出判定装置１０１は、被監視者Ｍの生体情報ｖｄの欠測時間ｔまたは欠測回数ｃが、欠測監視時間Ｔまたは欠測監視回数Ｃを超える場合に、被監視者Ｍが外出していると判定する。
【００３３】
図１の例では、時点ｘ１１において、被監視者Ｍの生体情報ｖｄの欠測時間ｔが欠測監視時間Ｔを超えるか否か判定された結果、欠測時間ｔが欠測監視時間Ｔを超えるため、被監視者Ｍが外出していると判定された場合を想定する。
【００３４】
（４）外出判定装置１０１は、判定した判定結果を出力する。具体的には、例えば、外出判定装置１０１は、被監視者Ｍが外出していると判定した場合に、被監視者Ｍについてのアラーム情報ＡＬをクライアント端末１０４に送信することにしてもよい。クライアント端末１０４は、監視者Ｗが使用するコンピュータである。アラーム情報ＡＬは、例えば、被監視者Ｍの安否確認を促す情報である。
【００３５】
このように、外出判定装置１０１によれば、被監視者Ｍの属性または／および欠測前の健康状態に応じて、被監視者Ｍの外出判定に用いる欠測監視時間Ｔまたは欠測監視回数Ｃを設定することができる。また、外出判定装置１０１によれば、被監視者Ｍの生体情報ｖｄの欠測時間ｔまたは欠測回数ｃが、欠測監視時間Ｔまたは欠測監視回数Ｃを超えるか否かに応じて被監視者Ｍの外出判定を行うことができる。
【００３６】
これにより、生体情報ｖｄの欠測時間ｔまたは欠測回数ｃが、欠測監視時間Ｔまたは欠測監視回数Ｃを超えるまでの間は、何らかの要因により欠測となっている生体情報ｖｄの取得が再開されるのを待つことができ、外出判定の誤判定を防ぐことができる。また、監視者Ｗに対する過剰なアラームを抑制して、安否確認などの監視者Ｗの負荷を軽減させることができる。
【００３７】
（監視システム２００のシステム構成例）
つぎに、実施の形態１にかかる監視システム２００のシステム構成例について説明する。なお、以下の説明では、被監視者Ｍの外出判定に用いる指標値として、欠測監視時間Ｔおよび欠測監視回数Ｃのうちの「欠測監視時間Ｔ」を例に挙げて説明する。
【００３８】
図２は、監視システム２００のシステム構成例を示す説明図である。図２において、監視システム２００は、外出判定装置１０１と、生体情報測定装置１０２と、中継装置１０３と、クライアント端末１０４と、を含む。監視システム２００において、外出判定装置１０１、中継装置１０３およびクライアント端末１０４は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３９】
ここで、外出判定装置１０１は、各種ＤＢ（データベース）等２２０，２３０，２４０，２５０，２６０を有し、被監視者Ｍの外出判定を行う。外出判定装置１０１は、例えば、監視システム２００の管理者が使用するサーバ、ＰＣ（Ｐｅｒｓｏｎａｌ  Ｃｏｍｐｕｔｅｒ）などである。なお、各種データベース等２２０，２３０，２４０，２５０，２６０の記憶内容については、図５〜図９を用いて後述する。
【００４０】
生体情報測定装置１０２は、被監視者Ｍの生体情報ｖｄを測定して定期的に送信する。以下の説明では、被監視者Ｍの生体情報ｖｄとして、被監視者Ｍの体温を測定する場合を例に挙げて説明する。具体的には、例えば、生体情報測定装置１０２は、被監視者Ｍの生体情報ｖｄを１時間間隔（００時〜２３時の各時間帯の００分）で測定して定期的に送信する。
【００４１】
中継装置１０３は、被監視者Ｍの住居に設置され、生体情報測定装置１０２から送信される被監視者Ｍの生体情報ｖｄを中継する。具体的には、例えば、中継装置１０３は、生体情報測定装置１０２から送信される被監視者Ｍの生体情報ｖｄを受信し、ネットワーク２１０を介して、受信した被監視者Ｍの生体情報ｖｄを外出判定装置１０１に送信する。
【００４２】
クライアント端末１０４は、監視者Ｗが使用するコンピュータである。ここでは、監視者Ｗとして、訪問看護師、ホームヘルパー、ケアマネージャー（デイサービス）、家族を例に挙げて説明する。クライアント端末１０４は、例えば、スマートフォン、携帯電話機、タブレット型ＰＣ、ＰＨＳ（Ｐｅｒｓｏｎａｌ  Ｈａｎｄｙ−ｐｈｏｎｅ  Ｓｙｓｔｅｍ）、ＰＣ、ノートＰＣなどである。
【００４３】
（外出判定装置１０１のハードウェア構成例）
図３は、外出判定装置１０１のハードウェア構成例を示すブロック図である。図３において、外出判定装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、磁気ディスクドライブ３０４と、磁気ディスク３０５と、を有する。また、各構成部は、バス３００によってそれぞれ接続される。
【００４４】
ここで、ＣＰＵ３０１は、外出判定装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００４５】
Ｉ／Ｆ３０３は、通信回線を通じてネットワーク２１０に接続され、ネットワーク２１０を介して他のコンピュータ（例えば、図２に示した中継装置１０３、クライアント端末１０４）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００４６】
磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記憶する。
【００４７】
なお、外出判定装置１０１は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。また、図２に示した中継装置１０３、クライアント端末１０４についても、上述した外出判定装置１０１と同様のハードウェア構成例により実現することができる。また、中継装置１０３は、生体情報測定装置１０２と無線通信するためのアンテナ、無線通信回路を有する。
【００４８】
（生体情報測定装置１０２のハードウェア構成例）
図４は、生体情報測定装置１０２のハードウェア構成例を示すブロック図である。図４において、生体情報測定装置１０２は、プロセッサ４０１と、メモリ４０２と、センサ４０３と、アンテナ４０４と、無線通信回路４０５と、ハーベスタ４０６と、バッテリ４０７と、ＰＭＵ（Ｐｏｗｅｒ  Ｍａｎａｇｅｍｅｎｔ  Ｕｎｉｔ）４０８と、を有する。また、生体情報測定装置１０２は、プロセッサ４０１、メモリ４０２、センサ４０３、無線通信回路４０５およびＰＭＵ４０８を接続するバス４００を有する。
【００４９】
プロセッサ４０１は、生体情報測定装置１０２の全体の制御を司る。メモリ４０２は、例えば、ＲＯＭ、ＲＡＭおよび不揮発メモリなどを有する。具体的には、例えば、ＲＯＭが各種プログラムを記憶し、ＲＡＭがプロセッサ４０１のワークエリアとして使用される。不揮発メモリは、書き込み可能な記憶装置であって、電力供給が途絶えたときにおいても書き込まれたデータを保持する。
【００５０】
センサ４０３は、設置箇所における温度、圧力などを検出する。例えば、プロセッサ４０１は、センサ４０３により検出されたデータに基づいて、生体情報測定装置１０２を装着した被監視者の体温、心拍、血圧などを測定する。アンテナ４０４は、中継装置１０３と無線通信する電波を送受信する。無線通信回路４０５は、アンテナ４０４を介して受信した無線電波を受信信号として出力し、送信信号を無線電波としてアンテナ４０４を介して送信する。
【００５１】
ハーベスタ４０６は、エナジーハーベスト素子を含み、設置箇所における外部環境、例えば、光、振動、温度、無線電波（受信電波）などのエネルギー変化に基づき発電を行う。バッテリ４０７は、ハーベスタ４０６により発電された電力を蓄える。ＰＭＵ４０８は、バッテリ４０７によって蓄えられた電力を、生体情報測定装置１０２の各構成部に駆動電源として供給する制御を行う。
【００５２】
なお、生体情報測定装置１０２は、上述した構成部のほかに、例えば、二次電池を有することにしてもよい。また、図４中、点線矢印は、電力の流れを示している。
【００５３】
（被監視者情報ＤＢ２２０の記憶内容）
つぎに、図２に示した各種ＤＢ等２２０，２３０，２４０，２５０，２６０の記憶内容について説明する。まず、被監視者情報ＤＢ２２０の記憶内容について説明する。被監視者情報ＤＢ２２０は、例えば、図３に示したメモリ３０２、磁気ディスク３０５等の記憶装置により実現される。
【００５４】
図５は、被監視者情報ＤＢ２２０の記憶内容の一例を示す説明図である。図５において、被監視者情報ＤＢ２２０は、氏名、住所、年齢、家族構成、健康状態、在不在、監視者、アドレスおよび通知状況のフィールドを有し、各フィールドに情報を設定することで、被監視者Ｍの被監視者情報を記憶する。
【００５５】
ここで、氏名は、被監視者Ｍの氏名である。住所は、被監視者Ｍの住所である。年齢は、被監視者Ｍの年齢である。家族構成は、被監視者Ｍの家族構成である。家族構成フィールドには「独居」または「同居」が設定される。健康状態は、被監視者Ｍの健康状態である。健康状態フィールドには「正常」または「異常」が設定される。在不在は、被監視者Ｍの在宅状況である。在不在フィールドには「在宅」または「外出」が設定される。
【００５６】
監視者は、被監視者Ｍを監視する監視者Ｗの名称である。アドレスは、監視者Ｗが使用するクライアント端末１０４のアドレス（例えば、メールアドレス、電話番号など）である。通知状況は、監視者Ｗに対するアラーム情報ＡＬの通知状況を示す。通知状況フィールドには「−（ＮＵＬＬ）」または「通知」が設定される。なお、通知状況は、初期状態では「−」である。
【００５７】
（生体情報ＤＢ２３０の記憶内容）
つぎに、生体情報ＤＢ２３０の記憶内容について説明する。生体情報ＤＢ２３０は、例えば、メモリ３０２、磁気ディスク３０５等の記憶装置により実現される。
【００５８】
図６は、生体情報ＤＢ２３０の記憶内容の一例を示す説明図である。図６において、生体情報ＤＢ２３０は、日付、時刻および体温のフィールドを有し、各フィールドに情報を設定することで、被監視者Ｍの生体情報ｖｄをレコードとして記憶する。
【００５９】
ここで、日付は、生体情報測定装置１０２により被監視者Ｍの生体情報ｖｄが測定された日付である。時刻は、生体情報測定装置１０２により被監視者Ｍの生体情報ｖｄが測定された時刻である。体温は、生体情報測定装置１０２により測定された被監視者Ｍの体温である。体温の単位は［℃］である。体温フィールドには「体温」または「欠測」が設定される。
【００６０】
例えば、４月１日の０時００分に測定された被監視者Ｍの体温は、「３６．４［℃］」である。また、例えば、４月１日の１３時００分の体温フィールドには「欠測」が設定されており、被監視者Ｍの生体情報ｖｄが欠測したことを示している。なお、日付、時刻は、外出判定装置１０１により被監視者Ｍの生体情報ｖｄが取得された日付、時刻であってもよい。
【００６１】
（健康状態判定テーブル２４０の記憶内容）
つぎに、健康状態判定テーブル２４０の記憶内容について説明する。健康状態判定テーブル２４０は、例えば、メモリ３０２、磁気ディスク３０５等の記憶装置に記憶される。
【００６２】
図７は、健康状態判定テーブル２４０の記憶内容の一例を示す説明図である。図７において、健康状態判定テーブル２４０は、氏名と健康状態と条件とを対応付けて表す情報である。ここで、氏名は、被監視者Ｍの氏名である。健康状態は、被監視者Ｍの健康状態である。条件は、被監視者Ｍの体温に関する条件である。
【００６３】
健康状態判定テーブル２４０によれば、被監視者Ｍの体温から、被監視者Ｍの健康状態を判定することができる。例えば、被監視者Ｍの体温が条件「３７．０＞体温≧３５．０」を満たす場合、被監視者Ｍの健康状態が「正常」であると判定することができる。また、被監視者Ｍの体温が条件「体温＜３５．０」を満たす場合、被監視者Ｍの健康状態が「異常」であると判定することができる。また、被監視者Ｍの体温が条件「体温≧３７．０」を満たす場合、被監視者Ｍの健康状態が「異常」であると判定することができる。
【００６４】
（欠測監視時間テーブル２５０の記憶内容）
つぎに、欠測監視時間テーブル２５０の記憶内容について説明する。欠測監視時間テーブル２５０は、例えば、メモリ３０２、磁気ディスク３０５等の記憶装置に記憶される。
【００６５】
図８は、欠測監視時間テーブル２５０の記憶内容の一例を示す説明図である。図８において、欠測監視時間テーブル２５０は、年齢、家族構成および健康状態の組み合わせに対応する欠測監視時間を表す欠測監視時間情報８００−１〜８００−１６を記憶している。なお、図８中、「７０歳以上」は７０歳以上８０歳未満を示し、「８０歳以上」は８０歳以上９０歳未満を示す。
【００６６】
例えば、欠測監視時間情報８００−１は、年齢「７０歳以下」、家族構成「独居」および健康状態「異常」の組み合わせに対応する欠測監視時間「１ｈ」を表す。また、例えば、欠測監視時間情報８００−２は、年齢「７０歳以下」、家族構成「独居」および健康状態「正常」の組み合わせに対応する欠測監視時間「２ｈ」を表す。
【００６７】
（アラーム通知レベル情報テーブル２６０の記憶内容）
つぎに、実施の形態１にかかるアラーム通知レベル情報テーブル２６０の記憶内容について説明する。アラーム通知レベル情報テーブル２６０は、例えば、メモリ３０２、磁気ディスク３０５等の記憶装置に記憶される。
【００６８】
図９は、アラーム通知レベル情報テーブル２６０の記憶内容の一例を示す説明図（その１）である。図９において、アラーム通知レベル情報テーブル２６０は、レベル、通知時間、通知先のフィールドを有し、各フィールドに情報を設定することで、アラーム通知レベル情報９００−１，９００−２をレコードとして記憶する。
【００６９】
ここで、レベルは、被監視者Ｍに対する対応の緊急度を示す。ここでは、レベルＡが緊急度高を示し、レベルＢが緊急度低を示す。通知時間は、アラーム情報ＡＬの通知タイミングを示す時間である。ここでは、生体情報ｖｄの欠測時間ｔが通知時間を超えると、監視者Ｗにアラーム情報ＡＬを通知することを示す。
【００７０】
通知先は、アラーム情報ＡＬの通知先である。ここでは、アラーム情報ＡＬの通知先として、訪問看護師、ホームヘルパー、ケアマネージャー、家族が示されている。なお、図９中、「○」はアラーム情報ＡＬの通知を行うことを示し、「×」はアラーム情報ＡＬの通知を行わないことを示す。
【００７１】
（外出判定装置１０１の機能的構成例）
図１０は、実施の形態１にかかる外出判定装置１０１の機能的構成例を示すブロック図である。図１０において、外出判定装置１０１は、取得部１００１と、検出部１００２と、設定部１００３と、判定部１００４と、出力部１００５と、を含む構成である。各機能部は、具体的には、例えば、図３に示したメモリ３０２、磁気ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、磁気ディスク３０５などの記憶装置に記憶される。
【００７２】
取得部１００１は、生体情報測定装置１０２から定期的に送信される被監視者Ｍの生体情報ｖｄを取得する機能を有する。被監視者Ｍの生体情報ｖｄには、例えば、生体情報測定装置１０２により測定された被監視者Ｍの体温、被監視者Ｍの体温が測定された日付、時刻を示す情報が含まれている。
【００７３】
具体的には、例えば、取得部１００１は、中継装置１０３を介して、生体情報測定装置１０２から定期的に送信される被監視者Ｍの生体情報ｖｄを受信することにより、被監視者Ｍの生体情報ｖｄを取得する。また、例えば、取得部１００１は、不図示のキーボードやマウスを用いたユーザの操作入力により、被監視者Ｍの生体情報ｖｄを取得することにしてもよい。なお、取得された被監視者Ｍの生体情報ｖｄは、例えば、図６に示した生体情報ＤＢ２３０に記憶される。
【００７４】
検出部１００２は、生体情報測定装置１０２から定期的に送信される被監視者Ｍの生体情報ｖｄの欠測を検出する機能を有する。具体的には、例えば、検出部１００２は、生体情報測定装置１０２から１時間間隔で定期的に送信される被監視者Ｍの生体情報ｖｄが取得されなかった場合に、被監視者Ｍの生体情報ｖｄの欠測を検出する。
【００７５】
より具体的には、例えば、検出部１００２は、生体情報ＤＢ２３０を参照して、被監視者Ｍの生体情報ｖｄの欠測を検出することにしてもよい。図６に示した例では、検出部１００２は、例えば、４月１日の１３時００分に取得されるべき被監視者Ｍの生体情報ｖｄの欠測を検出する。
【００７６】
なお、外出判定装置１０１は、被監視者Ｍの生体情報ｖｄの欠測が検出された場合、図５に示した被監視者情報ＤＢ２２０の在不在フィールドに「外出」を設定することにしてもよい。これにより、監視システム２００の管理者は、被監視者Ｍの生体情報ｖｄが欠測したため、被監視者Ｍが外出している可能性があることを把握することができる。
【００７７】
設定部１００３は、被監視者Ｍの属性または／および被監視者Ｍの欠測前の生体情報ｖｄに基づいて、被監視者Ｍの外出判定に用いる生体情報ｖｄの欠測監視時間Ｔを設定する機能を有する。ここで、欠測前の生体情報ｖｄとは、生体情報ｖｄを欠測した時点以前に取得されたいずれかの生体情報ｖｄである。
【００７８】
欠測前の生体情報ｖｄは、例えば、生体情報ｖｄを欠測した時点直前に取得された生体情報ｖｄであってもよい。また、欠測前の生体情報ｖｄは、例えば、生体情報ｖｄを欠測した第１時点以前であって、第１時点から所定時間（例えば、数時間）遡った第２時点以降に取得されたいずれかの生体情報ｖｄであってもよい。
【００７９】
具体的には、例えば、設定部１００３は、欠測前の生体情報ｖｄに基づく被監視者Ｍの健康状態が正常である場合、被監視者Ｍの健康状態が異常である場合に比べて、欠測監視時間Ｔを長く設定することにしてもよい。また、例えば、設定部１００３は、被監視者Ｍが同居の場合、被監視者Ｍが独居の場合に比べて、欠測監視時間Ｔを長く設定することにしてもよい。また、例えば、設定部１００３は、被監視者Ｍの年齢が若いほど、欠測監視時間Ｔを長く設定することにしてもよい。より具体的には、例えば、設定部１００３は、図８に示した欠測監視時間テーブル２５０を参照して、欠測監視時間Ｔを設定する。
【００８０】
ここで、「４月１日１３時００分」に取得されるべき被監視者Ｍの生体情報ｖｄの欠測が検出された場合を例に挙げて、欠測監視時間Ｔの設定例について説明する。この場合、設定部１００３は、生体情報ＤＢ２３０から、生体情報ｖｄを欠測した時点以前に取得された生体情報ｖｄ、例えば、「４月１日１２時００分」に取得された生体情報ｖｄを抽出する。
【００８１】
つぎに、設定部１００３は、図７に示した健康状態判定テーブル２４０を参照して、抽出した生体情報ｖｄに基づく被監視者Ｍの健康状態を判定する。ここで、「４月１日１２時００分」に取得された生体情報ｖｄが示す被監視者Ｍの体温は「３６．４［℃］」である。この場合、設定部１００３は、被監視者Ｍの健康状態が「正常」であると判定する。
【００８２】
また、設定部１００３は、被監視者情報ＤＢ２２０を参照して、被監視者Ｍの年齢「８５」および家族構成「独居」を特定する。つぎに、設定部１００３は、欠測監視時間テーブル２５０を参照して、年齢「８５」、家族構成「独居」および健康状態「正常」の組み合わせに対応する欠測監視時間「２ｈ」を特定する。そして、設定部１００３は、特定した欠測監視時間「２ｈ」を欠測監視時間Ｔに設定する。
【００８３】
判定部１００４は、被監視者Ｍの生体情報ｖｄの欠測時間ｔが、設定部１００３によって設定された欠測監視時間Ｔを超えるか否かを判定する機能を有する。また、判定部１００４は、被監視者Ｍの生体情報ｖｄの欠測時間ｔが欠測監視時間Ｔを超える場合に、被監視者Ｍが外出していると判定することにしてもよい。
【００８４】
具体的には、例えば、まず、判定部１００４は、生体情報ＤＢ２３０を参照して、被監視者Ｍの生体情報ｖｄの欠測時間ｔを算出する。例えば、「４月１日１４時００分」の時点では、欠測時間ｔは「２ｈ」となる。この場合、判定部１００４は、被監視者Ｍの生体情報ｖｄの欠測時間ｔが欠測監視時間Ｔ以下であると判定する。
【００８５】
出力部１００５は、判定部１００４によって判定された判定結果に基づいて、被監視者Ｍについてのアラーム情報ＡＬを出力する機能を有する。具体的には、例えば、出力部１００５は、被監視者Ｍの生体情報ｖｄの欠測時間ｔが欠測監視時間Ｔを超えるか否かに応じて異なるアラーム情報ＡＬを出力することにしてもよい。
【００８６】
より具体的には、例えば、出力部１００５は、被監視者Ｍの生体情報ｖｄの欠測時間ｔが欠測監視時間Ｔ以下の場合、欠測時間ｔ連続して被監視者Ｍの生体情報ｖｄを取得できていない旨のアラーム情報ＡＬを出力することにしてもよい。また、例えば、出力部１００５は、被監視者Ｍの生体情報ｖｄの欠測時間ｔが欠測監視時間Ｔ以下の場合は、アラーム情報ＡＬを出力しないことにしてもよい。
【００８７】
また、例えば、出力部１００５は、被監視者Ｍの生体情報ｖｄの欠測時間ｔが欠測監視時間Ｔを超えている場合、被監視者Ｍの状況を早急に確認するよう促すアラーム情報ＡＬを出力することにしてもよい。出力形式としては、例えば、メモリ３０２、磁気ディスク３０５などの記憶装置への記憶、不図示のディスプレイへの表示、Ｉ／Ｆ３０３による外部のコンピュータ（例えば、クライアント端末１０４）への送信がある。
【００８８】
また、設定部１００３は、欠測監視時間補正値Ｐに基づいて、設定した欠測監視時間Ｔを補正した補正後の欠測監視時間を設定することにしてもよい。ここで、欠測監視時間補正値Ｐは、任意に設定可能な補正値であり、例えば、予め設定されてメモリ３０２、磁気ディスク３０５などの記憶装置に記憶される。なお、以下の説明では、欠測監視時間Ｔを補正した補正後の欠測監視時間を「補正欠測監視時間ＴＰ」と表記する場合がある。
【００８９】
具体的には、例えば、設定部１００３は、欠測監視時間Ｔに欠測監視時間補正値Ｐを乗算することにより、補正欠測監視時間ＴＰを算出する。欠測監視時間補正値Ｐは、例えば、「１．５」〜「２」程度の値に設定される。なお、欠測監視回数Ｃを補正する場合も同様に、設定部１００３は、例えば、欠測監視回数Ｃに欠測監視時間補正値Ｐを乗算することにより、補正後の欠測監視回数を算出することができる。
【００９０】
また、判定部１００４は、欠測時間ｔが欠測監視時間Ｔを超える場合、欠測時間ｔが、設定部１００３によって設定された補正欠測監視時間ＴＰを超えるか否かを判定することにしてもよい。また、出力部１００５は、被監視者Ｍの生体情報ｖｄの欠測時間ｔが補正欠測監視時間ＴＰを超えるか否かに応じて異なるアラーム情報ＡＬを出力することにしてもよい。
【００９１】
具体的には、例えば、出力部１００５は、欠測時間ｔが補正欠測監視時間ＴＰを超える場合、欠測時間ｔが補正欠測監視時間ＴＰを超えない場合に比べて緊急度の高いアラーム情報ＡＬを出力することにしてもよい。より具体的には、例えば、まず、出力部１００５は、図９に示したアラーム通知レベル情報テーブル２６０を参照して、アラーム情報ＡＬのレベルを設定する。
【００９２】
図９の例では、欠測時間ｔが、欠測監視時間Ｔより大きく補正欠測監視時間ＴＰ以下の場合は、アラーム情報ＡＬのレベルが「レベルＢ」に設定される。また、欠測時間ｔが補正欠測監視時間ＴＰを超える場合は、アラーム情報ＡＬのレベルが「レベルＡ」に設定される。
【００９３】
つぎに、出力部１００５は、アラーム通知レベル情報テーブル２６０を参照して、設定したアラーム情報ＡＬのレベルに対応する通知先を特定する。図９の例では、レベルＢの場合は、アラーム情報ＡＬの通知先として、「家族」が特定される。また、レベルＡの場合は、アラーム情報ＡＬの通知先として、「訪問看護師」、「ホームヘルパー」、「ケアマネージャー」および「家族」が特定される。
【００９４】
そして、出力部１００５は、特定した通知先に、設定したレベルのアラーム情報ＡＬを送信する。これにより、緊急度のレベルに応じて異なる通知先にアラーム情報ＡＬを通知することができる。なお、通知先のアドレスは、例えば、図５に示した被監視者情報ＤＢ２２０のアドレスフィールドを参照することにより特定することができる。
【００９５】
なお、外出判定装置１０１は、アラーム情報ＡＬが送信された場合、アラーム情報ＡＬの通知先である監視者Ｗに対応する被監視者情報ＤＢ２２０内の通知状況フィールドに「通知」を設定する。これにより、被監視者Ｍについてのアラーム情報ＡＬを誰に通知したのかを管理することができる。アラーム情報ＡＬの具体例については、図１１および図１２を用いて後述する。
【００９６】
また、出力部１００５は、被監視者Ｍの生体情報ｖｄの欠測後に、中継装置１０３を介して被監視者Ｍの生体情報ｖｄが取得された場合、被監視者Ｍが在宅していることを報知する報知情報ＲＴを出力することにしてもよい。具体的には、例えば、まず、出力部１００５は、被監視者情報ＤＢ２２０を参照して、通知状況フィールドに「通知」が設定されている監視者Ｗを特定する。そして、出力部１００５は、特定した監視者Ｗのクライアント端末１０４に報知情報ＲＴを送信する。
【００９７】
これにより、アラーム情報ＡＬを通知した監視者Ｗに対して、被監視者Ｍが帰宅したことを報知することができる。なお、外出判定装置１０１は、報知情報ＲＴが送信された場合、報知情報ＲＴの送信先である監視者Ｗに対応する被監視者情報ＤＢ２２０内の通知状況フィールドに「−」を設定する。
【００９８】
（アラーム情報ＡＬの具体例）
つぎに、アラーム情報ＡＬの具体例について説明する。ここでは、監視者Ｗが使用するクライアント端末１０４に表示されるアラーム情報ＡＬの具体例について説明する。
【００９９】
図１１は、緊急度低のアラーム情報ＡＬの具体例を示す説明図である。図１１において、クライアント端末１０４のディスプレイ１１００にアラーム情報ＡＬ１が表示されている。アラーム情報ＡＬ１は、被監視者Ｍの「家族」に通知されるレベルＢ（緊急度低）のアラーム情報ＡＬである。
【０１００】
アラーム情報ＡＬ１によれば、被監視者Ｍの「家族」は、被監視者Ｍが○時間外出していることを把握することができ、必要に応じて被監視者Ｍの状況確認を行うことができる。
【０１０１】
図１２は、緊急度高のアラーム情報ＡＬの具体例を示す説明図である。図１２において、クライアント端末１０４のディスプレイ１１００にアラーム情報ＡＬ２が表示されている。アラーム情報ＡＬ２は、被監視者Ｍの「訪問看護師」、「ホームヘルパー」、「ケアマネージャー」および「家族」に通知されるレベルＡ（緊急度高）のアラーム情報ＡＬである。
【０１０２】
アラーム情報ＡＬ２によれば、被監視者Ｍの「訪問看護師」、「ホームヘルパー」、「ケアマネージャー」および「家族」は、被監視者Ｍに異常が発生していることを把握することができ、被監視者Ｍの状況確認を行う必要があることを認識することができる。
【０１０３】
（外出判定装置１０１の外出判定処理手順）
つぎに、実施の形態１にかかる外出判定装置１０１の外出判定処理手順について説明する。この外出判定処理は、例えば、所定の時間間隔（例えば、１時間間隔）で定期的に実行される。
【０１０４】
図１３は、実施の形態１にかかる外出判定装置１０１の外出判定処理手順の一例を示すフローチャートである。図１３のフローチャートにおいて、まず、外出判定装置１０１は、生体情報ＤＢ２３０を参照して、生体情報測定装置１０２から定期的に送信される被監視者Ｍの生体情報ｖｄの欠測を検出したか否かを判断する（ステップＳ１３０１）。
【０１０５】
ここで、外出判定装置１０１は、被監視者Ｍの生体情報ｖｄの欠測を検出した場合（ステップＳ１３０１：Ｙｅｓ）、被監視者情報ＤＢ２２０を参照して、在不在フィールドに「在宅」が設定されているか否かを判断する（ステップＳ１３０２）。ここで、「外出」が設定されている場合（ステップＳ１３０２：Ｎｏ）、外出判定装置１０１は、ステップＳ１３０９に移行する。
【０１０６】
一方、「在宅」が設定されている場合（ステップＳ１３０２：Ｙｅｓ）、外出判定装置１０１は、被監視者情報ＤＢ２２０内の在不在フィールドに「外出」を設定する（ステップＳ１３０３）。つぎに、外出判定装置１０１は、生体情報ＤＢ２３０から欠測前の生体情報ｖｄを抽出する（ステップＳ１３０４）。
【０１０７】
そして、外出判定装置１０１は、健康状態判定テーブル２４０を参照して、抽出した欠測前の生体情報ｖｄに基づく被監視者Ｍの健康状態を判定する（ステップＳ１３０５）。つぎに、外出判定装置１０１は、被監視者情報ＤＢ２２０を参照して、被監視者Ｍの年齢および家族構成を特定する（ステップＳ１３０６）。
【０１０８】
そして、外出判定装置１０１は、欠測監視時間テーブル２５０を参照して、被監視者Ｍの年齢、家族構成および健康状態の組み合わせに対応する欠測監視時間Ｔを設定する（ステップＳ１３０７）。つぎに、外出判定装置１０１は、欠測監視時間補正値Ｐに基づいて、欠測監視時間Ｔを補正した補正欠測監視時間ＴＰを設定する（ステップＳ１３０８）。
【０１０９】
そして、外出判定装置１０１は、生体情報ＤＢ２３０を参照して、被監視者Ｍの生体情報ｖｄの欠測時間ｔを算出する（ステップＳ１３０９）。つぎに、外出判定装置１０１は、算出した欠測時間ｔが欠測監視時間Ｔを超えるか否かを判定する（ステップＳ１３１０）。
【０１１０】
ここで、欠測時間ｔが欠測監視時間Ｔを超える場合（ステップＳ１３１０：Ｙｅｓ）、外出判定装置１０１は、アラーム通知処理を実行して（ステップＳ１３１１）、本フローチャートによる一連の処理を終了する。なお、アラーム通知処理の具体的な処理手順については、図１４を用いて後述する。
【０１１１】
また、ステップＳ１３１０において、欠測時間ｔが欠測監視時間Ｔ以下の場合（ステップＳ１３１０：Ｎｏ）、外出判定装置１０１は、本フローチャートによる一連の処理を終了する。
【０１１２】
また、ステップＳ１３０１において、外出判定装置１０１は、被監視者Ｍの生体情報ｖｄの欠測を検出しなかった場合（ステップＳ１３０１：Ｎｏ）、被監視者情報ＤＢ２２０を参照して、在不在フィールドに「外出」が設定されているか否かを判断する（ステップＳ１３１２）。
【０１１３】
ここで、「外出」が設定されている場合（ステップＳ１３１２：Ｙｅｓ）、外出判定装置１０１は、被監視者情報ＤＢ２２０内の在不在フィールドに「在宅」を設定する（ステップＳ１３１３）。つぎに、外出判定装置１０１は、被監視者情報ＤＢ２２０を参照して、通知状況フィールドに「通知」が設定されている監視者Ｗを特定する（ステップＳ１３１４）。
【０１１４】
そして、外出判定装置１０１は、特定した監視者Ｗのクライアント端末１０４に報知情報ＲＴを送信して（ステップＳ１３１５）、本フローチャートによる一連の処理を終了する。また、ステップＳ１３１２において、「在宅」が設定されている場合（ステップＳ１３１２：Ｎｏ）、外出判定装置１０１は、本フローチャートによる一連の処理を終了する。
【０１１５】
これにより、被監視者Ｍの属性および健康状態に応じて、被監視者Ｍの外出判定に用いる欠測監視時間Ｔを設定することができる。また、被監視者Ｍの生体情報ｖｄの欠測後に、被監視者Ｍの生体情報ｖｄが取得された場合は、被監視者Ｍが在宅していることを報知する報知情報ＲＴを監視者Ｗに通知することができる。
【０１１６】
つぎに、図１３に示したステップＳ１３１１のアラーム通知処理の具体的な処理手順について説明する。
【０１１７】
図１４は、アラーム通知処理の具体的処理手順の一例を示すフローチャート（その１）である。図１４のフローチャートにおいて、まず、外出判定装置１０１は、欠測時間ｔが補正欠測監視時間ＴＰを超えるか否かを判定する（ステップＳ１４０１）。
【０１１８】
ここで、欠測時間ｔが補正欠測監視時間ＴＰ以下の場合（ステップＳ１４０１：Ｎｏ）、外出判定装置１０１は、アラーム通知レベル情報テーブル２６０を参照して、アラーム情報ＡＬのレベルを「レベルＢ」に設定する（ステップＳ１４０２）。
【０１１９】
つぎに、外出判定装置１０１は、アラーム通知レベル情報テーブル２６０を参照して、設定した「レベルＢ」に対応する通知先を特定する（ステップＳ１４０３）。そして、外出判定装置１０１は、特定した通知先に「レベルＢ」のアラーム情報ＡＬを送信して（ステップＳ１４０４）、本フローチャートによる一連の処理を終了する。
【０１２０】
また、ステップＳ１４０１において、欠測時間ｔが補正欠測監視時間ＴＰを超える場合（ステップＳ１４０１：Ｙｅｓ）、外出判定装置１０１は、アラーム通知レベル情報テーブル２６０を参照して、アラーム情報ＡＬのレベルを「レベルＡ」に設定する（ステップＳ１４０５）。
【０１２１】
つぎに、外出判定装置１０１は、アラーム通知レベル情報テーブル２６０を参照して、設定した「レベルＡ」に対応する通知先を特定する（ステップＳ１４０６）。そして、外出判定装置１０１は、特定した通知先に「レベルＡ」のアラーム情報ＡＬを送信して（ステップＳ１４０７）、本フローチャートによる一連の処理を終了する。
【０１２２】
これにより、被監視者Ｍの生体情報ｖｄの欠測時間ｔが欠測監視時間Ｔを超える場合に、レベルＢ（緊急度低）のアラーム情報ＡＬを監視者Ｗに通知することができる。また、被監視者Ｍの生体情報ｖｄの欠測時間ｔが補正欠測監視時間ＴＰを超える場合は、レベルＡ（緊急度高）のアラーム情報ＡＬを監視者Ｗに通知することができる。
【０１２３】
以上説明したように、実施の形態１にかかる外出判定装置１０１によれば、被監視者Ｍの属性または／および被監視者Ｍの欠測前の生体情報ｖｄに基づいて、被監視者Ｍの外出判定に用いる生体情報の欠測監視時間Ｔを設定することができる。また、外出判定装置１０１によれば、被監視者Ｍの生体情報ｖｄの欠測時間ｔが、欠測監視時間Ｔを超えるか否かに応じて被監視者Ｍの外出判定を行うことができる。
【０１２４】
これにより、被監視者Ｍの属性または／および健康状態に応じて、被監視者Ｍの外出判定に用いる欠測監視時間Ｔを変更することができ、被監視者Ｍの外出判定の精度を向上させることができる。
【０１２５】
また、外出判定装置１０１によれば、被監視者Ｍの生体情報ｖｄの欠測時間ｔが欠測監視時間Ｔを超えるか否かに応じてアラーム情報ＡＬを出力することができる。これにより、監視者Ｍに対して異常通知することができる。
【０１２６】
また、外出判定装置１０１によれば、欠測前の生体情報ｖｄに基づく被監視者Ｍの健康状態が正常である場合、被監視者Ｍの健康状態が異常である場合に比べて、欠測監視時間Ｔを長く設定することができる。これにより、被監視者Ｍの健康状態が異常の場合に、監視者Ｗに対して異常通知するまでの時間を短縮することができる。
【０１２７】
また、外出判定装置１０１によれば、被監視者Ｍが同居の場合、被監視者Ｍが独居の場合に比べて、欠測監視時間Ｔを長く設定することができる。これにより、被監視者Ｍが独居の場合に、監視者Ｗに対して異常通知するまでの時間を短縮することができる。
【０１２８】
また、外出判定装置１０１によれば、被監視者Ｍの年齢が若いほど、欠測監視時間Ｔを長く設定することができる。これにより、被監視者Ｍが高齢であるほど、監視者Ｗに対して異常通知するまでの時間を短縮することができる。
【０１２９】
また、外出判定装置１０１によれば、被監視者Ｍの生体情報ｖｄの欠測後に、中継装置１０３を介して被監視者Ｍの生体情報ｖｄが取得された場合、被監視者Ｍが在宅していることを報知する報知情報ＲＴを出力することができる。これにより、異常通知した監視者Ｗに対して、被監視者Ｍが帰宅したことを報知することができる。
【０１３０】
また、外出判定装置１０１によれば、欠測時間ｔが欠測監視時間Ｔを超える場合、欠測時間ｔが補正欠測監視時間ＴＰを超えるか否かを判定し、欠測時間ｔが補正欠測監視時間ＴＰを超えるか否かに応じて異なるアラーム情報ＡＬを出力することができる。これにより、欠測時間ｔが補正欠測監視時間ＴＰを超える場合に、監視者Ｗに対して緊急度の高い異常通知を行うことができる。
【０１３１】
これらのことから、外出判定装置１０１によれば、被監視者Ｍの生体情報ｖｄの欠測時間ｔが欠測監視時間Ｔを超えるまでの間は、何らかの要因により欠測となっている生体情報ｖｄの取得が再開されるのを待つことができる。この結果、外出判定装置１０１によれば、外出判定の誤判定を防ぐことができ、監視者Ｗに対する過剰なアラームを抑制して、安否確認などの監視者Ｗの負荷を軽減させることができる。
【０１３２】
具体的には、例えば、欠測時間ｔが欠測監視時間Ｔを超える前に、生体情報測定装置１０２の電力不足が解消されると、生体情報ｖｄの取得が再開されて、外出判定の誤判定を防ぐことができる。また、例えば、欠測時間ｔが欠測監視時間Ｔを超える前に、在宅中の被監視者Ｍが、生体情報測定装置１０２の電波が中継装置１０３に届きにくい場所から移動すると、生体情報ｖｄの取得が再開されて、外出判定の誤判定を防ぐことができる。
【０１３３】
また、例えば、欠測時間ｔが欠測監視時間Ｔを超える前に、在宅中の被監視者Ｍが生体情報測定装置１０２の装着忘れに気付いて装着した場合には、生体情報ｖｄの取得が再開されて、外出判定の誤判定を防ぐことができる。また、例えば、被監視者Ｍが外出しても、欠測時間ｔが欠測監視時間Ｔを超える前に被監視者Ｍが帰宅して生体情報ｖｄの取得が再開された場合には、監視者Ｗに対してアラームが通知されず、安否確認などの監視者Ｗの負荷を軽減させることができる。
【０１３４】
また、欠測前の被監視者Ｍの健康状態が異常であったり、被監視者Ｍが独居であったり、被監視者Ｍが高齢であるほど、欠測監視時間Ｔを短く設定することができ、被監視者Ｍの異変に気付くのが遅れるのを防ぐことができる。
【０１３５】
（実施の形態２）
実施の形態２では、さらに、被監視者Ｍの住居に設置された電子機器Ｅの稼働状態の変化を考慮して、被監視者Ｍの外出判定を行う場合について説明する。なお、実施の形態１で説明した箇所と同一箇所については、同一符号を付して図示および説明を省略する。
【０１３６】
（監視システム１５００のシステム構成例）
つぎに、実施の形態２にかかる監視システム１５００のシステム構成例について説明する。
【０１３７】
図１５は、監視システム１５００のシステム構成例を示す説明図である。図１５において、監視システム１５００は、外出判定装置１０１と、生体情報測定装置１０２と、中継装置１０３と、クライアント端末１０４と、電力測定装置１５０１と、を含む。監視システム２００において、外出判定装置１０１、中継装置１０３、クライアント端末１０４および電力測定装置１５０１は、ネットワーク２１０を介して接続される。
【０１３８】
ここで、電力測定装置１５０１は、被監視者Ｍの住居に設置された電子機器Ｅの使用電力情報を測定するコンピュータである。また、電力測定装置１５０１は、ネットワーク２１０を介して、測定した使用電力情報を定期的に外出判定装置１０１に送信する。電子機器Ｅは、例えば、ＴＶ、エアコン、扇風機、こたつ、ＩＨ（ｉｎｄｕｃｔｉｏｎ  ｈｅａｔｉｎｇ）機器、アイロン、照明機器などである。
【０１３９】
（電力測定装置１５０１のハードウェア構成例）
図１６は、電力測定装置１５０１のハードウェア構成例を示すブロック図である。図１６において、電力測定装置１５０１は、ＣＰＵ１６０１と、メモリ１６０２と、磁気ディスクドライブ１６０３と、磁気ディスク１６０４と、Ｉ／Ｆ１６０５と、電流センサ１６０６と、コンセント１６０７と、を有する。また、電力測定装置１５０１は、ＣＰＵ１６０１、メモリ１６０２、磁気ディスクドライブ１６０３、Ｉ／Ｆ１６０５および電流センサ１６０６を接続するバス１６００を有する。
【０１４０】
ここで、ＣＰＵ１６０１は、電力測定装置１５０１の全体の制御を司る。メモリ１６０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ１６０１のワークエリアとして使用される。
【０１４１】
磁気ディスクドライブ１６０３は、ＣＰＵ１６０１の制御にしたがって磁気ディスク１６０４に対するデータのリード／ライトを制御する。磁気ディスク１６０４は、磁気ディスクドライブ１６０３の制御で書き込まれたデータを記憶する。
【０１４２】
Ｉ／Ｆ１６０５は、通信回線を通じてネットワーク２１０に接続され、ネットワーク２１０を介して他のコンピュータ（例えば、図１５に示した外出判定装置１０１）に接続される。そして、Ｉ／Ｆ１６０５は、ネットワーク２１０と内部のインターフェースを司り、他のコンピュータからのデータの入出力を制御する。
【０１４３】
電流センサ１６０６は、コンセント１６０７に接続された電子機器Ｅに供給される電流を検出する。例えば、ＣＰＵ１６０１は、電流センサ１６０６により検出されたデータに基づいて、コンセント１６０７に接続された電子機器Ｅの使用電力を測定する。コンセント１６０７は、電子機器Ｅに接続される電源ケーブルのプラグを挿入するプラグ挿入口と、プラグのアース端子を受け入れるアース端子口とを有する。
【０１４４】
（使用電力情報ＤＢ１５１０の記憶内容）
つぎに、外出判定装置１０１が用いる使用電力情報ＤＢ１５１０の記憶内容について説明する。使用電力情報ＤＢ１５１０は、例えば、メモリ３０２、磁気ディスク３０５等の記憶装置により実現される。
【０１４５】
図１７は、使用電力情報ＤＢ１５１０の記憶内容の一例を示す説明図である。図１７において、使用電力情報ＤＢ１５１０は、日付、時刻および使用電力のフィールドを有し、各フィールドに情報を設定することで、電子機器Ｅの使用電力情報をレコードとして記憶する。
【０１４６】
ここで、日付は、電力測定装置１５０１により電子機器Ｅの使用電力情報が測定された日付である。時刻は、電力測定装置１５０１により電子機器Ｅの使用電力情報が測定された時刻である。使用電力は、電力測定装置１５０１により測定された電子機器Ｅの使用電力である。使用電力の単位は［Ｗ］である。
【０１４７】
ここでは、監視者Ｗの住居に設置された電子機器Ｅとして、ＴＶ、扇風機、ＩＨ機器、アイロンが示されている。例えば、４月１日の０時００分に測定されたＴＶの使用電力は、「０［Ｗ］」である。また、例えば、４月１日の９時００分に測定されたＴＶの使用電力は、「５０［Ｗ］」である。なお、日付、時刻は、外出判定装置１０１により電子機器Ｅの使用電力情報が取得された日付、時刻であってもよい。
【０１４８】
（アラーム通知レベル情報テーブル２６０の記憶内容）
つぎに、実施の形態２にかかるアラーム通知レベル情報テーブル２６０の記憶内容について説明する。
【０１４９】
図１８は、アラーム通知レベル情報テーブル２６０の記憶内容の一例を示す説明図（その２）である。図１８において、アラーム通知レベル情報テーブル２６０は、レベル、通知時間、稼働状態変化、通知先のフィールドを有し、各フィールドに情報を設定することで、アラーム通知レベル情報１８００−１〜１８００−４をレコードとして記憶する。
【０１５０】
ここで、レベルは、被監視者Ｍに対する対応の緊急度を示す。ここでは、レベルＡが緊急度高を示し、レベルＢが緊急度低を示す。通知時間は、アラーム情報ＡＬの通知タイミングを示す時間である。ここでは、生体情報ｖｄの欠測時間ｔが通知時間を超えると、監視者Ｗにアラーム情報ＡＬを通知することを示す。
【０１５１】
稼働状態変化は、被監視者Ｍの住居に設置される電子機器Ｅの稼働状態の変化の有無を示す。通知先は、アラーム情報ＡＬまたは報知情報ＲＴの通知先である。ここでは、アラーム情報ＡＬまたは報知情報ＲＴの通知先として、訪問看護師、ホームヘルパー、ケアマネージャー、家族が示されている。なお、図１８中、「○（Ａ）」はアラーム情報ＡＬの通知を行うことを示し、「○（Ｒ）」は報知情報ＲＴの通知を行うことを示し、「×」はアラーム情報ＡＬおよび報知情報ＲＴの通知を行わないことを示す。
【０１５２】
（外出判定装置１０１の機能的構成例）
図１９は、実施の形態２にかかる外出判定装置１０１の機能的構成例を示すブロック図である。図１９において、外出判定装置１０１は、取得部１００１と、検出部１００２と、設定部１００３と、判定部１００４と、出力部１００５と、判断部１９０１と、を含む構成である。以下の説明では、実施の形態１にかかる外出判定装置１０１と異なる機能について説明する。
【０１５３】
取得部１００１は、電力測定装置１５０１から定期的に送信される電子機器Ｅの使用電力情報を取得する機能を有する。電子機器Ｅの使用電力情報には、例えば、電力測定装置１５０１により測定された電子機器Ｅの使用電力、電子機器Ｅの名称、電子機器Ｅの使用電力が測定された日付、時刻を示す情報が含まれている。
【０１５４】
具体的には、例えば、取得部１００１は、電力測定装置２０１から定期的に送信される電子機器Ｅの使用電力情報を受信することにより、電子機器Ｅの使用電力情報を取得する。また、例えば、取得部１００１は、不図示のキーボードやマウスを用いたユーザの操作入力により、電子機器Ｅの使用電力情報を取得することにしてもよい。なお、取得された電子機器Ｅの使用電力情報は、例えば、図１７に示した使用電力情報ＤＢ１５１０に記憶される。
【０１５５】
判断部１９０１は、被監視者Ｍの生体情報ｖｄを欠測した第１時点の電子機器Ｅの稼働状態が、第１時点以前の第２時点の電子機器Ｅの稼働状態から変化したか否かを判断する機能を有する。ここで、電子機器Ｅの稼働状態の変化は、被監視者Ｍが在宅していると判断するための指標となる。例えば、ある時点において、電子機器Ｅの電源がＯＦＦからＯＮになって稼働状態が変化した場合、被監視者Ｍが在宅していると判断することができる。
【０１５６】
そこで、判定部１００４は、例えば、欠測時間ｔが欠測監視時間Ｔを超え、かつ、判断部１９０１によって電子機器Ｅの稼働状態が変化していないと判断された場合に、被監視者Ｍが外出していると判定することにしてもよい。これにより、被監視者Ｍの外出判定の高精度化を図ることができる。
【０１５７】
具体的には、例えば、まず、判断部１９０１は、図１７に示した使用電力情報ＤＢ１５１０を参照して、第１時点の電子機器Ｅの稼働状態を判断する。より具体的には、例えば、第１時点の電子機器Ｅの使用電力が閾値α以上であれば、判断部１９０１は、電子機器Ｅが稼働していると判断する。一方、第１時点の電子機器Ｅの使用電力が閾値α未満であれば、判断部１９０１は、電子機器Ｅが稼働していないと判断する。閾値αは、任意に設定可能であり、例えば、１［Ｗ］程度の値に設定される。
【０１５８】
なお、被監視者Ｍの住居に設置された複数の電子機器Ｅの使用電力情報が取得される場合がある。この場合、判断部１９０１は、複数の電子機器Ｅのうちのいずれかの電子機器Ｅの稼働状態を判断することにしてもよく、また、複数の電子機器Ｅに含まれる各々の電子機器Ｅの稼働状態を判断することにしてもよい。
【０１５９】
ここで、第１時点を「４月１日１７時００分」とする。また、電子機器Ｅを「ＴＶ」とし、閾値αを「α＝１［Ｗ］」とする。この場合、判断部１９０１は、使用電力情報ＤＢ１５１０を参照して、４月１日の１７時００分のＴＶの使用電力「５０［Ｗ］」を特定する。そして、判断部１９０１は、使用電力「５０［Ｗ］」が閾値α以上のため、ＴＶが稼働していると判断する。
【０１６０】
つぎに、判断部１９０１は、使用電力情報ＤＢ１５１０を参照して、第２時点の電子機器Ｅの稼働状態を判断する。第２時点は、第１時点「４月１日１７時００分」以前のいずれかの時点である。例えば、第２時点は、欠測時間ｔの開始時点（図６参照）である「４月１日１３時００分」から第１時点「４月１日１７時００分」までのいずれかの時点であってもよい。また、被監視者Ｍの一日の生活リズムが曜日単位で似ていると仮定して、第２時点を、第１時点以前であって、第１時点と同一曜日の同一時間、例えば、「３月２５日１７時００分」とすることにしてもよい。
【０１６１】
なお、複数の電子機器Ｅの使用電力情報が取得される場合は、判定部１００４は、例えば、欠測時間ｔが欠測監視時間Ｔを超え、かつ、複数の電子機器Ｅのうちの所定数β以上の電子機器Ｍの稼働状態が変化していないと判断された場合に、被監視者Ｍが外出していると判定することにしてもよい。所定数βは、任意に設定可能である。
【０１６２】
また、出力部１００５は、図１８に示したアラーム通知レベル情報テーブル２６０を参照して、被監視者Ｍについてのアラーム情報ＡＬまたは報知情報ＲＴをクライアント端末１０４に送信することにしてもよい。具体的には、例えば、出力部１００５は、欠測時間ｔが補正欠測監視時間ＴＰを超え、かつ、電子機器Ｅの稼働状態が変化していない場合に、レベルＡのアラーム情報ＡＬを通知先のクライアント端末１０４に送信する。また、例えば、出力部１００５は、欠測時間ｔが欠測監視時間Ｔより大きく補正欠測監視時間ＴＰ以下であって、かつ、電子機器Ｅの稼働状態が変化していない場合に、レベルＢのアラーム情報ＡＬを通知先のクライアント端末１０４に送信する。
【０１６３】
（外出判定装置１０１の外出判定処理手順）
つぎに、実施の形態２にかかる外出判定装置１０１の外出判定処理手順について説明する。ここでは、実施の形態２にかかる外出判定装置１０１の外出判定処理手順のうち、図１３に示した実施の形態１にかかる外出判定装置１０１の外出判定処理手順と異なるステップＳ１３１１のアラーム通知処理の具体的な処理手順について説明する。
【０１６４】
図２０は、アラーム通知処理の具体的処理手順の一例を示すフローチャート（その２）である。図２０のフローチャートにおいて、まず、外出判定装置１０１は、欠測時間ｔが補正欠測監視時間ＴＰを超えるか否かを判定する（ステップＳ２００１）。
【０１６５】
ここで、欠測時間ｔが補正欠測監視時間ＴＰ以下の場合（ステップＳ２００１：Ｎｏ）、外出判定装置１０１は、被監視者Ｍの生体情報ｖｄを欠測した第１時点の電子機器Ｅの稼働状態が、第１時点以前の第２時点の電子機器Ｅの稼働状態から変化したか否かを判断する（ステップＳ２００２）。
【０１６６】
ここで、電子機器Ｅの稼働状態が変化した場合（ステップＳ２００２：Ｙｅｓ）、外出判定装置１０１は、被監視者情報ＤＢ２２０内の在不在フィールドに「在宅」を設定する（ステップＳ２００３）。
【０１６７】
つぎに、外出判定装置１０１は、アラーム通知レベル情報テーブル２６０（図１８参照）を参照して、報知情報ＲＴの通知先のクライアント端末１０４を特定する（ステップＳ２００４）。そして、外出判定装置１０１は、特定した通知先のクライアント端末１０４に報知情報ＲＴを送信して（ステップＳ２００５）、本フローチャートによる一連の処理を終了する。
【０１６８】
また、ステップＳ２００２において、電子機器Ｅの稼働状態が変化していない場合（ステップＳ２００２：Ｎｏ）、外出判定装置１０１は、アラーム通知レベル情報テーブル２６０（図１８参照）を参照して、アラーム情報ＡＬのレベルを「レベルＢ」に設定する（ステップＳ２００６）。
【０１６９】
つぎに、外出判定装置１０１は、アラーム通知レベル情報テーブル２６０（図１８参照）を参照して、設定した「レベルＢ」に対応する通知先のクライアント端末１０４を特定する（ステップＳ２００７）。そして、外出判定装置１０１は、特定した通知先のクライアント端末１０４に「レベルＢ」のアラーム情報ＡＬを送信して（ステップＳ２００８）、本フローチャートによる一連の処理を終了する。
【０１７０】
また、ステップＳ２００１において、欠測時間ｔが補正欠測監視時間ＴＰを超える場合（ステップＳ２００１：Ｙｅｓ）、外出判定装置１０１は、被監視者Ｍの生体情報ｖｄを欠測した第１時点の電子機器Ｅの稼働状態が、第１時点以前の第２時点の電子機器Ｅの稼働状態から変化したか否かを判断する（ステップＳ２００９）。
【０１７１】
ここで、電子機器Ｅの稼働状態が変化した場合（ステップＳ２００９：Ｙｅｓ）、外出判定装置１０１は、被監視者情報ＤＢ２２０内の在不在フィールドに「在宅」を設定する（ステップＳ２０１０）。
【０１７２】
つぎに、外出判定装置１０１は、アラーム通知レベル情報テーブル２６０（図１８参照）を参照して、報知情報ＲＴの通知先のクライアント端末１０４を特定する（ステップＳ２０１１）。そして、外出判定装置１０１は、特定した通知先のクライアント端末１０４に報知情報ＲＴを送信して（ステップＳ２０１２）、本フローチャートによる一連の処理を終了する。
【０１７３】
また、ステップＳ２００９において、電子機器Ｅの稼働状態が変化していない場合（ステップＳ２００９：Ｎｏ）、外出判定装置１０１は、アラーム通知レベル情報テーブル２６０（図１８参照）を参照して、アラーム情報ＡＬのレベルを「レベルＡ」に設定する（ステップＳ２０１３）。
【０１７４】
つぎに、外出判定装置１０１は、アラーム通知レベル情報テーブル２６０（図１８参照）を参照して、設定した「レベルＡ」に対応する通知先のクライアント端末１０４を特定する（ステップＳ２０１４）。そして、外出判定装置１０１は、特定した通知先のクライアント端末１０４に「レベルＡ」のアラーム情報ＡＬを送信して（ステップＳ２０１５）、本フローチャートによる一連の処理を終了する。
【０１７５】
これにより、被監視者Ｍの生体情報ｖｄの欠測時間ｔが欠測監視時間Ｔを超え、かつ、電子機器Ｅの稼働状態が変化していない場合に、レベルＢ（緊急度低）のアラーム情報ＡＬを監視者Ｗに通知することができる。また、被監視者Ｍの生体情報ｖｄの欠測時間ｔが補正欠測監視時間ＴＰを超え、かつ、電子機器Ｅの稼働状態が変化していない場合は、レベルＡ（緊急度高）のアラーム情報ＡＬを監視者Ｗに通知することができる。
【０１７６】
以上説明したように、実施の形態２にかかる外出判定装置１０１によれば、被監視者Ｍの生体情報ｖｄを欠測した第１時点の電子機器Ｅの稼働状態が、第１時点以前の第２時点の電子機器Ｅの稼働状態から変化したか否かを判断することができる。また、外出判定装置１０１によれば、欠測時間ｔが欠測監視時間Ｔを超え、かつ、電子機器Ｅの稼働状態が変化していない場合に、被監視者Ｍが外出していると判定することができる。
【０１７７】
これにより、被監視者Ｍの属性や健康状態とともに、被監視者Ｍの住居に設置された電子機器Ｅの稼働状態の変化を考慮して、被監視者Ｍの外出判定を行うことができ、被監視者Ｍの外出判定の高精度化を図ることができる。例えば、欠測時間ｔが欠測監視時間Ｔを超える場合であっても、電子機器Ｅの稼働状態が変化していれば、被監視者Ｍが在宅していると判断して、監視者Ｗに対するアラームを抑制することができ、安否確認などの監視者Ｗの負荷を軽減させることができる。
【０１７８】
なお、本実施の形態で説明した外出判定方法は、予め用意されたプログラムをパーソナル・コンピュータやワークステーション等のコンピュータで実行することにより実現することができる。本外出判定プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本外出判定プログラムは、インターネット等のネットワークを介して配布してもよい。
【０１７９】
上述した実施の形態に関し、さらに以下の付記を開示する。
【０１８０】
（付記１）被監視者の生体情報を測定して定期的に送信する生体情報測定装置と、
前記被監視者の住居に設置され、前記生体情報測定装置から送信される前記被監視者の生体情報を中継する中継装置と、
前記被監視者の属性または／および前記被監視者の欠測前の生体情報に基づいて、前記被監視者の外出判定に用いる生体情報の欠測監視時間または欠測監視回数を設定する設定部と、前記被監視者の生体情報の欠測時間または欠測回数が、前記設定部によって設定された前記欠測監視時間または前記欠測監視回数を超えるか否かに応じて前記被監視者の外出判定を行う判定部と、を有する外出判定装置と、
を含むことを特徴とする監視システム。
【０１８１】
（付記２）前記設定部は、前記欠測前の生体情報に基づく前記被監視者の健康状態が正常である場合、前記被監視者の健康状態が異常である場合に比べて、前記欠測監視時間を長く、または、前記欠測監視回数を多く設定することを特徴とする付記１に記載の監視システム。
【０１８２】
（付記３）前記設定部は、前記被監視者が同居の場合、前記被監視者が独居の場合に比べて、前記欠測監視時間を長く、または、前記欠測監視回数を多く設定することを特徴とする付記１または２に記載の監視システム。
【０１８３】
（付記４）前記設定部は、前記被監視者の年齢が若いほど、前記欠測監視時間を長く、または、前記欠測監視回数を多く設定することを特徴とする付記１〜３のいずれか一つに記載の監視システム。
【０１８４】
（付記５）前記外出判定装置は、前記住居に設置された電子機器の使用電力情報を測定する電力測定装置により測定された前記電子機器の使用電力情報に基づいて、前記被監視者の生体情報を欠測した第１時点の前記電子機器の稼働状況が、前記第１時点以前の第２時点の前記電子機器の稼働状況から変化したか否かを判断する判断部を有し、
前記判定部は、前記欠測時間または前記欠測回数が前記欠測監視時間または前記欠測監視回数を超え、かつ、前記判断部によって前記電子機器の稼働状況が変化していないと判断された場合に、前記被監視者が外出していると判定することを特徴とする付記１〜４のいずれか一つに記載の監視システム。
【０１８５】
（付記６）前記外出判定装置は、前記被監視者の生体情報の欠測時間または欠測回数が前記欠測監視時間または前記欠測監視回数を超えるか否かに応じて異なるアラーム情報を出力する出力部を有することを特徴とする付記１〜５のいずれか一つに記載の監視システム。
【０１８６】
（付記７）前記出力部は、前記被監視者の生体情報の欠測後に、前記中継装置を介して前記被監視者の生体情報が取得された場合、前記被監視者が在宅していることを報知する報知情報を出力することを特徴とする付記６に記載の監視システム。
【０１８７】
（付記８）前記生体情報は、前記被監視者の体温、心拍、血圧のうちの少なくともいずれかの情報であることを特徴とする付記１〜７のいずれか一つに記載の監視システム。
【０１８８】
（付記９）前記生体情報測定装置は、前記生体情報測定装置が置かれた環境に応じて得られるエネルギーを用いて発電される電力により動作することを特徴とする付記１〜８のいずれか一つに記載の監視システム。
【０１８９】
（付記１０）前記設定部は、さらに、所定の補正値に基づいて、設定した前記欠測監視時間または前記欠測監視回数を補正した補正後の欠測監視時間または欠測監視回数を設定し、
前記判定部は、前記欠測時間または前記欠測回数が前記欠測監視時間または前記欠測監視回数を超える場合、前記欠測時間または前記欠測回数が、前記設定部によって設定された前記補正後の欠測監視時間または欠測監視回数を超えるか否かを判定し、
前記出力部は、前記欠測時間または前記欠測回数が前記補正後の欠測監視時間または欠測監視回数を超えるか否かに応じて異なるアラーム情報を出力することを特徴とする付記６または７に記載の監視システム。
【０１９０】
（付記１１）コンピュータが、
被監視者の属性または／および前記被監視者の欠測前の生体情報に基づいて、前記被監視者の外出判定に用いる生体情報の欠測監視時間または欠測監視回数を設定し、
定期的に送信される前記被監視者の生体情報の欠測時間または欠測回数が、設定した前記欠測監視時間または前記欠測監視回数を超えるか否かに応じて前記被監視者の外出判定を行う、
処理を実行することを特徴とする外出判定方法。
【０１９１】
（付記１２）コンピュータに、
被監視者の属性または／および前記被監視者の欠測前の生体情報に基づいて、前記被監視者の外出判定に用いる生体情報の欠測監視時間または欠測監視回数を設定し、
定期的に送信される前記被監視者の生体情報の欠測時間または欠測回数が、設定した前記欠測監視時間または前記欠測監視回数を超えるか否かに応じて前記被監視者の外出判定を行う、
処理を実行させることを特徴とする外出判定プログラム。
【０１９２】
（付記１３）コンピュータに、
被監視者の属性または／および前記被監視者の欠測前の生体情報に基づいて、前記被監視者の外出判定に用いる生体情報の欠測監視時間または欠測監視回数を設定し、
定期的に送信される前記被監視者の生体情報の欠測時間または欠測回数が、設定した前記欠測監視時間または前記欠測監視回数を超えるか否かに応じて前記被監視者の外出判定を行う、
処理を実行させる外出判定プログラムを記録したことを特徴とする前記コンピュータに読み取り可能な記録媒体。
【符号の説明】
【０１９３】
１０１  外出判定装置
１０２  生体情報測定装置
１０３  中継装置
１０４  クライアント端末
２００，１５００  監視システム
２２０  被監視者情報ＤＢ
２３０  生体情報ＤＢ
２４０  健康状態判定テーブル
２５０  欠測監視時間テーブル
２６０  アラーム通知レベル情報テーブル
１００１  取得部
１００２  検出部
１００３  設定部
１００４  判定部
１００５  出力部
１９０１  判断部
【図１】
2014225165.tif 000003
【図２】
2014225165.tif 000004
【図３】
2014225165.tif 000005
【図４】
2014225165.tif 000006
【図５】
2014225165.tif 000007
【図６】
2014225165.tif 000008
【図７】
2014225165.tif 000009
【図８】
2014225165.tif 000010
【図９】
2014225165.tif 000011
【図１０】
2014225165.tif 000012
【図１１】
2014225165.tif 000013
【図１２】
2014225165.tif 000014
【図１３】
2014225165.tif 000015
【図１４】
2014225165.tif 000016
【図１５】
2014225165.tif 000017
【図１６】
2014225165.tif 000018
【図１７】
2014225165.tif 000019
【図１８】
2014225165.tif 000020
【図１９】
2014225165.tif 000021
【図２０】
2014225165.tif 000022